(57)【要約】【課題】多くの光コネクタをスペース効率良く収容しつつ、光コネクタの収容及び取り出しを容易に行うことができる光コネクタ収容器を提供する。【解決手段】光コネクタ収容器４は、光成端架１に着脱自在に取り付けられたベース８と、ベース８に対して可動するように支持され、保留光コード３を保留する保留部材９とを有している。保留部材９は、底部９ａ及び側壁部９ｂを有する箱状をなしており、側壁部９ｂにおける保留光コード３の基端部側の部位には、保留光コード３を導入する導入口１６が設けられている。底部９ａの両端側には、導入口１６より導入された保留光コード３を案内するための一対の案内部１８ａ，１８ｂが対向して設けられている。この一対の案内部１８ａ，１８ｂの間には、保留光コネクタ２３を収容するコネクタ収容部１９が設けられている。【選択図】  図２
2010145749.tif 000002
【特許請求の範囲】
【請求項１】
複数本の光コードを配線する光成端架に設けられ、未接続の光コードの先端部に装着された光コネクタを収容する光コネクタ収容器において、
前記光成端架に着脱自在に取り付けられたベースと、
前記ベースに対して可動するように支持され、前記未接続の光コードを保留する保留部材とを備え、
前記保留部材は、底部及び側壁部を有する箱状をなしており、
前記側壁部における前記光コードの基端部側の部位には、前記光コードを導入する導入口が設けられていることを特徴とする光コネクタ収容器。
【請求項２】
前記底部の両端側には、断面略円弧状に形成され前記導入口より導入された前記光コードを案内するための一対の案内部が対向して設けられ、
前記底部における前記一対の案内部の間には、前記光コネクタを収容する収容部が設けられていることを特徴とする請求項1記載の光コネクタ収容器。
【請求項３】
前記保留部材は、前記ベースが前記光成端架に取り付けられた状態において、前記収容部の収容口が前記光成端架の手前側を向くように前記ベースに対して回動可能であることを特徴とする請求項１又は２記載の光コネクタ収容器。
【請求項４】
前記ベースの前記導入口側の部位には、前記保留部材を前記ベースに対して回動させるための突起が設けられ、
前記保留部材には、前記突起が嵌入される嵌入孔が設けられていることを特徴とする請求項３記載の光コネクタ収容器。
【発明の詳細な説明】
【技術分野】
【０００１】
本発明は、光成端架において未接続の光コードに装着された光コネクタを収容する光コネクタ収容器に関するものである。
【背景技術】
【０００２】
光成端架に具備された光コネクタ収容器としては、例えば特許文献１に記載されているように、光コードの先端部に装着された光コネクタプラグを係止する複数の係止部を有し、収容部から引き込まれた光コードのうち未接続の光コードを保留する保留盤が知られている。
【特許文献１】特開２００１―５７６８３号公報
【発明の開示】
【発明が解決しようとする課題】
【０００３】
ところで、光成端架では数多くの光コードが配線されることから、光成端架用の光コネクタ収容器としては、多くの光コネクタをスペース効率良く収容できること、光コネクタの収容及び取り出しが容易に行えることが強く望まれている。
【０００４】
本発明の目的は、多くの光コネクタをスペース効率良く収容しつつ、光コネクタの収容及び取り出しを容易に行うことができる光コネクタ収容器を提供することである。
【課題を解決するための手段】
【０００５】
本発明は、複数本の光コードを配線する光成端架に設けられ、未接続の光コードの先端部に装着された光コネクタを収容する光コネクタ収容器において、光成端架に着脱自在に取り付けられたベースと、ベースに対して可動するように支持され、未接続の光コードを保留する保留部材とを備え、保留部材は、底部及び側壁部を有する箱状をなしており、側壁部における光コードの基端部側の部位には、光コードを導入する導入口が設けられていることを特徴とする。
【０００６】
このような本発明の光コード収容器に、未接続の光コードの先端部に装着された光コネクタを収容するときは、ベースが光成端架に取り付けられた状態で、保留部材をベースに対して光成端架の正面側に動かし、光コードと共に光コネクタを箱状の保留部材内に載置してまとめて収容する。従って、未接続の光コードが数多く存在する場合でも、それら多くの光コードの光コネクタをスペース効率良く収容することができる。このとき、保留部材の側壁部における光コードの基端部側の部位に導入口が設けられているため、側壁部の反対側（光コードの基端部側から離れた部位）に導入口が設けられる場合に比して、光コードを幅輳させることなく、保留部材内に光コードを簡単に載置することができる。また、光コード収容器に収容された光コネクタを取り出すときは、上記と同様に保留部材をベースに対して光成端架の正面側に動かし、所望の光コネクタを選択して取り出す。以上のように、光コード収容器が光成端架に取り付けられた状態で、光コネクタの収容及び取り出しを容易に行うことができる。
【０００７】
好ましくは、底部の両端側には、断面略円弧状に形成され導入口より導入された光コードを案内するための一対の案内部が対向して設けられ、底部における一対の案内部の間には、光コネクタを収容する収容部が設けられている。この場合には、光コードを、保留部材の底部の両端側に設けられた一対の案内部の外周に沿わせるように案内して、底部に載置することで、保留部材内において光コードが整然と配線されることになり、例えば収容時における光コードの無理な曲げや損傷等が発生しにくくなる。また、光コネクタを収容する収容部を設けることで、光コネクタをまとめて整然と収容することができる。
【０００８】
また、好ましくは、保留部材は、ベースが光成端架に取り付けられた状態において、収容部の収容口が光成端架の手前側を向くようにベースに対して回動可能である。未接続の光コードの先端部に装着された光コネクタを光コード収容器に収容するときは、保留部材をベースに対して回動させることで、収容部の収容口が光成端架の手前側を向くように保留部材をベースに対して傾けた状態で、光コードを底部に載置する。また、光コード収容器に収容された光コネクタを取り出すときは、上記と同様に保留部材をベースに対して傾けた状態で、光コード収容器の収容部から光コネクタを取り出す。従って、光コネクタの収容及び取り出しを容易に且つ確実に行うことができる。
【０００９】
このとき、ベースの導入口側の部位には、保留部材をベースに対して回動させるための突起が設けられ、保留部材には、突起が嵌入される嵌入孔が設けられていることが好ましい。この場合には、突起（嵌入孔）を中心として保留部材がベースに対して回動して傾くことになる。従って、簡単な構成で、保留部材をベースに対して傾けることができる。
【発明の効果】
【００１０】
本発明によれば、多くの光コネクタを光コネクタ収容器にスペース効率良く収容することができる。また、光コネクタ収容器への光コネクタの収容作業と光コネクタ収容器からの光コネクタの取り出し作業とを容易に行うことができ、作業性を向上させることが可能となる。
【発明を実施するための最良の形態】
【００１１】
以下、本発明に係る光コネクタ収容器の好適な実施形態について図面を参照して詳細に説明する。
【００１２】
図１は、本発明に係る光コネクタ収容器の一実施形態を備えた光成端架を示す概略正面図である。同図において、光成端架１は、所外（加入者側）光ケーブルに内蔵された複数本の光ファイバコード（以下、単に光コードという）と架間光ケーブルに内蔵された複数本の光コードとを接続する光配線装置である。
【００１３】
光成端架１は、所外光ケーブルに内蔵された光コードと接続された複数のカプラユニット（図示せず）と、架間光ケーブルに内蔵された光コードと接続された複数のジャンパユニット２とを備え、これらのユニット同士は光コードで接続される。光コードの両端部には光コネクタ（例えばＭＵコネクタ）が装着されており、光コードと各ユニットとがコネクタ接続される。このとき、ジャンパユニット２にはコネクタ接続されているが、カプラユニットにはコネクタ接続されていない光コード（以下、保留光コードという）３が多数存在する。
【００１４】
そこで、光成端架１には、そのような保留光コード３を保留すべく、保留光コード３の先端部に装着された光コネクタ２３（図６等参照）を収容するための複数の光コネクタ収容器４が具備されている。これらの光コネクタ収容器４は、光成端架１の裏扉５に取り付けられている。光コネクタ収容器４は、ジャンパユニット２と同じ数だけ有しており、各ジャンパユニット２と１対１の対応関係となっている。光コネクタ収容器４は、複数段にわたって配置されている。裏扉５には、各光コネクタ収容器４を取り付けるための矩形状の大穴部６及び小穴部７が２列に並んで複数ずつ形成されている（図５等参照）。
【００１５】
図２は、光コネクタ収容器４の外観を示す斜視図である。同図において、光コネクタ収容器４は、光成端架１の裏扉５に着脱自在に取り付けられるベース８と、このベース８に回動自在（図３参照）に支持され、保留光コード３を保留する保留部材９とを有している。ベース８及び保留部材９は、例えばポリプロピレン等のプラスチックで形成されている。なお、ベース８及び保留部材９の材質は、アルミニウムや鉄等の金属であっても良い。
【００１６】
ベース８は、図２及び図３に示すように、底板８ａと側板８ｂとからなる断面略Ｌ字状の部材である。側板８ｂには、裏扉５に形成された上記２つの大穴部６にそれぞれ係合する係止部１０，１１が設けられている。
【００１７】
係止部１０は、側板８ｂの一端側上部に設けられ、大穴部６に挿入される略三角状の突起１２と、この突起１２の先端部から底板８ａ側に延び、裏扉５に引っ掛かる引っ掛け爪１３ａをもった係止片１３と、この係止片１３を弾性変形させるための略Ｌ字状の変形操作片１４とからなっている。係止部１１は、係止部１０から離間するよう側板８ｂの上部に設けられ、大穴部６に挿入される略三角状の突起となっている。なお、係止部１１は、小穴部７に挿入されて裏扉５に引っ掛かるようにＬ字状をなすものであってもよい。
【００１８】
ベース８の底板８ａには、保留部材９をベース８に対して回動させるための円柱状の突起１５が設けられている。突起１５は、係止部１０が設けられた側板８ｂに隣接した位置、すなわちベース８の奥側左隅に設けられている。突起１５は、後述する保留部材９の嵌入孔２２に嵌入され、図３に示すように、保留部材９を回動自在に支持する。
【００１９】
保留部材９は、底部９ａと側壁部９ｂとからなるトレイ型の箱状部材である。側壁部９ｂには、光コネクタ２３が付いた保留光コード３を保留部材９内に導入する導入口１６が設けられている。この導入口１６は、側壁部９ｂにおける保留光コード３の基端部側（側壁部９ｂの長手方向の左端側）、すなわちジャンパユニット２側の部位に、矩形状に形成されている。導入口１６の両側には、保留部材９の内側に突出する一対の突出壁１７ａ，１７ｂが設けられている。
【００２０】
保留部材９の底部９ａには、断面略円弧状に形成され上記の導入口１６より導入された保留光コード３を案内するための一対の案内部１８ａ，１８ｂが設けられている。案内部１８ａ，１８ｂは、保留光コード３に曲げ癖がつかないように、最小曲げ半径２０ｍｍ以上を確保するような曲げ量Ｒとなっている。案内部１８ａ，１８ｂは、互いの湾曲面の凹部側が対向するように底部９ａの長手方向の両端部側に配置されている。これにより、保留光コード３が円弧状の外周に沿うように底部９ａに載置されることになる。
【００２１】
また、底部９ａにおける一対の案内部１８ａ，１８ｂの間には、コネクタ収容部１９が設けられている。このコネクタ収容部１９は、案内部１８ａ側（導入口１６側）に隣接して設けられている。図４は、図２におけるＩＶ−ＩＶ線断面図である。同図に示すように、コネクタ収容部１９には、底部９ａから立設する湾曲面２０によって底部９ａとの間に収納スペースＳが確保されている。コネクタ収容部１９は、案内部１８ｂ側に開口を有しており、この開口が光コネクタ２３の収容口２１となる。このようなコネクタ収容部１９に光コネクタ２３を収納することにより、光コネクタ２３を並べて収容できると共に、光コネクタ２３に塵や埃等が付着しにくくなる。なお、コネクタ収容部１９の収容スペースは、光コネクタ２３の先端部分が収容される程度の奥行きとなっている（図７参照）。これにより、光コネクタ２３が全て収容される場合に比して、光コネクタ２３の選択が好適なると共に、取り出し易くなる。
【００２２】
また、底部９ａには、ベース８に設けられた上述の突起１５を嵌入する嵌入孔２２を有する筒状部２２ａが設けられている。この筒状部２２ａは、側壁部９ｂと一体成形されている。嵌入孔２２の内径は、突起１５と略同径となっている。嵌入孔２２は、突起１５に対応する位置、すなわち底部９ａの左隅に設けられている。
【００２３】
次に、以上のように構成された光コネクタ収容器４に保留光コード３を保留する作業手順について説明する。
【００２４】
図５に示すように、光成端架１の裏扉５には、上述したように複数の光コネクタ収容器４が取り付けられている。この状態では、コネクタ収容部１９の収容口２１は、光成端架１に対して真横（図示右側）を向いている。
【００２５】
光コネクタ収容器４を裏扉５に取り付ける場合は、ベース８に設けられた係止部１０の変形操作片１４によって同係止片１３を付勢力に抗して弾性変形させた状態で、裏扉５の並列する２つの大穴部６にベース８の係止部１０，１１をそれぞれ挿入する。そして、係止部１０，１１の突起１２及び係止片１３が大穴部６に入りきった後、変形操作片１４を離すと、係止片１３が付勢力により元の状態に戻り、光コネクタ収容器４が裏扉５に取り付けられる。
【００２６】
そのような光コネクタ収容器４に保留光コード３の光コネクタ２３を収容するときは、図６に示すように、保留部材９をベース８に対して手前側に引いて回動させることにより、コネクタ収容部１９の収容口２１を裏扉５の手前側に向ける。
【００２７】
続いて、任意の保留光コード３を手で持って光コネクタ収容器４の高さ位置まで引き上げた後、ジャンパユニット２側に設けられた導入口１６から任意の保留光コード３を保留部材９内に導入する。そして、導入した保留光コード３を案内部１８ａ，１８ｂの外周に沿わせながらコネクタ収容部１９まで導き、その保留光コード３の光コネクタ２３を収容口２１から収容スペースＳに収容する。
【００２８】
その後、図７に示すように、保留部材９をベース８に対して裏扉５側に回動させることで、保留部材９を通常状態に戻す。図８は、図７におけるＶＩＩＩ−ＶＩＩＩ線断面図である。同図に示すように、光コネクタ２３は、一対の案内部１８ａ，１８ｂを経由した後、先端部分がコネクタ収容部１９の収容スペースＳに収容される。以上のようにして、保留光コード３の光コネクタ２３を光コネクタ収容器４に保留する。
【００２９】
一方、光コネクタ収容器４から任意の保留光コード３の光コネクタ２３を取り出すときは、上述の手順と同様に、図６に示すように、保留部材９をベース８に対して手前側に引いて回動させることにより、コネクタ収容部１９の収容口２１を裏扉５の手前側に向ける。そして、任意の光コネクタ２３を選択してコネクタ収容部１９の収容口２１から取り出す。
【００３０】
以上のように、本実施形態の光コネクタ収容器４にあっては、保留光コード３の光コネクタ２３を収容する際に、ベース８が光成端架１に取り付けられた状態で、保留部材９をベース８に対して光成端架１の正面側に動かし、保留光コード３と共に光コネクタ２３を箱状の保留部材９内に載置してまとめて収容する。これにより、いちいち光コネクタ収容器４を光成端架１から取り外し、手に光コネクタ収容器４を持って作業することがなくなるため、作業効率の向上を図ることができる。また、保留部材９が箱状の構成を有することで、保留光コード３の収容（載置）スペースを十分に確保することができる。従って、光コネクタ２３の取り出し作業を、保留部材９外の保留光コード３が邪魔になることなく行うことができる。
【００３１】
また、保留部材９の導入口１６から導入された保留光コード３を、保留部材９の底部９ａに設けられた一対の案内部１８ａ，１８ｂに沿ってコネクタ収容部１９まで案内し、光コネクタ２３をコネクタ収容部１９に収容する。これにより、保留部材９内において保留光コード３が整然と配線されることになり、例えば収容時における光コードの無理な曲げや損傷等が発生しにくくなるため、保留光コード３の信頼性の低下を避けることが可能となる。
【００３２】
また、保留光コード３の導入口１６がジャンパユニット２側に設けられているので、導入口１６がジャンパユニット２から離れた部位に設けられる場合に比して、保留部材９の外に垂れ下がる保留光コード３が短くなり、保留光コード３の自重による負荷を軽減することができる。
【００３３】
また、保留部材９がベース８のジャンパユニット２側に設けられた突起１５を中心に回動するので、その反対側（保留光コード３の基端部側から離れた部位）に突起１５が設けられた場合に比して、保留部材９の回動の際に保留光コード３の移動が少なくなる。これにより、保留部材９の回動の際に保留光コード３にかかる負担を軽減でき、保留光コード３の損傷等を回避することができる。
【００３４】
なお、本発明は、上記実施形態に限定されるものではない。例えば上記実施形態では、保留部材９がベース８に対して回動自在となる構成としているが、保留部材９がベース８に対して可動する構成であればその他の構成としてもよい。例えば、保留部材９の裏面にガイド用突起を設け、ベース８にガイド用突起と係合するガイドレールを設ける構成としてもよい。この場合、保留部材９がガイドレールに沿って移動することで、裏扉５に取り付けられたベース８に対して手前に移動する。
【図面の簡単な説明】
【００３５】
【図１】本発明に係る光コネクタ収容器の一実施形態を備えた光成端架を示す概略正面図である。
【図２】図１に示した光コネクタ収容器の外観を示す斜視図である。
【図３】図２に示した光コネクタ収容器がベースに対して回動した状態を示す斜視図である。
【図４】図２におけるＩＶ−ＩＶ線断面図である。
【図５】図２に示した光コネクタ収容器が光成端架に取り付けられている状態を示す斜視図である。
【図６】図２に示した光コネクタ収容器に保留光コードの光コネクタを収容する際に、保留部材をベースに対して回動させた状態を示す斜視図である。
【図７】図６に示した保留部材が通常位置に戻された状態を示す図である。
【図８】図７におけるＶＩＩＩ−ＶＩＩＩ線断面図である。
【符号の説明】
【００３６】
１…光成端架、３…保留光コード、４…光コネクタ収容器、８…ベース、９…保留部材、９ａ…底部、９ｂ…側壁部、１５…突起、１６…導入口、１８ａ，１８ｂ…案内部、１９…コネクタ収容部、２１…収容口、２２…嵌入孔、２３…光コネクタ。
【図１】
2010145749.tif 000003
【図２】
2010145749.tif 000004
【図３】
2010145749.tif 000005
【図４】
2010145749.tif 000006
【図５】
2010145749.tif 000007
【図６】
2010145749.tif 000008
【図７】
2010145749.tif 000009
【図８】
2010145749.tif 000010